(57)【要約】      （修正有）【課題】複数の弦を有する弦楽器を演奏者の年齢別身体サイズに応じた比率で縮小したモデルを提供する。【解決手段】弦楽器を演奏する多数の演奏者の特定身体部位別サイズを測定する段階と、測定した身体部位別サイズに基づいて、弦楽器の標準規格に適した第１年齢層群と弦楽器の縮小規格が適用される第２年齢層群とを分ける段階と、測定した身体部位別サイズを用いて、第１年齢層群の平均身体サイズおよび第２年齢層群の平均身体サイズを算出する段階と、第１年齢層群の平均身体サイズの第１演奏者が弦楽器を演奏時に第１演奏者の上体が最大に動く第１動的範囲および第２年齢層群の平均身体サイズの第２演奏者が弦楽器を演奏時に第２演奏者の上体が最大に動く第２動的範囲を算出する段階と、第１動的範囲と第２動的範囲の比率を算出する段階と、算出された比率に基づいて標準規格対縮小規格を算出する段階と、弦楽器の縮小モデルを作製する段階を有する。【選択図】図１０
2014174546.tif 000002
【特許請求の範囲】
【請求項１】
弦楽器を演奏する多数の演奏者の特定身体部位別サイズを測定する段階と、
前記測定した身体部位別サイズに基づいて、前記弦楽器の標準規格に適した第１年齢層群と前記弦楽器の縮小規格が適用される第２年齢層群とを分ける段階と、
前記測定した身体部位別サイズを用いて、前記第１年齢層群の平均身体サイズおよび前記第２年齢層群の平均身体サイズを算出する段階と、
前記第１年齢層群の平均身体サイズの第１演奏者が前記弦楽器を演奏時に前記第１演奏者の上体が最大に動く第１動的範囲および前記第２年齢層群の平均身体サイズの第２演奏者が前記弦楽器を演奏時に前記第２演奏者の上体が最大に動く第２動的範囲を算出する段階と、
前記第１動的範囲と前記第２動的範囲の比率を算出する段階と、
前記算出された比率に基づいて前記標準規格対前記縮小規格を算出する段階と、
前記算出されたた縮小規格を有する前記弦楽器の縮小モデルを作製する段階とからなることを特徴とする弦楽器の縮小方法。
【請求項２】
前記特定身体部位別サイズを測定する段階では、
前記多数の演奏者の着座状態での肩の高さ、手の直線長さ、および手を除いた腕の長さの各々を測定することを特徴とする請求項１記載の弦楽器の縮小方法。
【請求項３】
前記第１動的範囲および前記第２動的範囲を算出する段階は、
前記第１演奏者が前記弦楽器を演奏時に前記第１演奏者の上体が最大に傾く第１角度を算出する段階と、
前記第２演奏者が前記弦楽器を演奏時に前記第２演奏者の上体が最大に傾く第２角度を算出する段階とからなり、
前記第１動的範囲は前記第１角度を含み、前記第２動的範囲は前記第２角度を含むことを特徴とする請求項１記載の弦楽器の縮小方法。
【請求項４】
前記第１動的範囲と前記第２動的範囲の比率を算出する段階において、
前記第１動的範囲の値が前記第２動的範囲の値よりも大きく、前記比率は１未満であることを特徴とする請求項１記載の弦楽器の縮小方法。
【請求項５】
前記標準規格対前記縮小規格を算出する段階では、
前記標準規格を基準として前記比率に比例して前記縮小規格を算出することを特徴とする請求項４記載の弦楽器の縮小方法。
【請求項６】
前記弦楽器の縮小モデルを作製する段階は、
前記標準規格による前記弦楽器の横サイズ、縦サイズおよび高さのうちのいずれか１つを比率に比例して縮小して前記縮小モデルを作製することを特徴とする請求項１記載の弦楽器の縮小方法。
【請求項７】
ベースを構成する横部と、
前記ベースを構成する縦部と、
前記ベースを構成する高さ部と、
前記ベースの一側に設けられて弦を固定する固定部と、
前記ベースの他側に設けられて前記弦の張力を調節する調弦部とを含み、
弦楽器の標準規格による前記横部の長さ、前記縦部の長さ、前記高さ部の長さおよび前記固定部から前記調弦部までの長さのうちのいずれか１つを演奏者の身体サイズに基づいて定められた縮小比率で縮小して前記標準規格対前記縮小規格をモデリングすることを特徴とする弦楽器の縮小モデル。
【請求項８】
前記縮小比率は、
前記弦楽器を演奏する多数の演奏者の特定身体部位別サイズを測定し、前記測定した身体部位別サイズに基づいて弦楽器の標準規格に適した第１年齢層群と前記弦楽器の縮小規格が適用される第２年齢層群とを分け、前記測定した身体部位別サイズを用いて前記第１年齢層群の平均身体サイズおよび前記第２年齢層群の平均身体サイズを算出し、前記第１年齢層群の平均身体サイズの第１演奏者が前記弦楽器を演奏時に前記第１演奏者の上体が最大に動く第１動的範囲および前記第２年齢層群の平均身体サイズの第２演奏者が前記弦楽器を演奏時に前記第２演奏者の上体が最大に動く第２動的範囲を算出して、前記第１動的範囲と前記第２動的範囲との比率を前記縮小比率として定めることを特徴とする請求項７記載の弦楽器の縮小モデル。
【請求項９】
前記特定身体部位別サイズは、前記多数の演奏者の着座状態での肩の高さ、手の直線長さ、および手を除いた腕の長さを含むことを特徴とする請求項８記載の弦楽器の縮小モデル。
【請求項１０】
前記第１動的範囲は前記第１演奏者が前記弦楽器を演奏時に前記第１演奏者の上体が最大に傾く第１角度を含み、
前記第２動的範囲は前記第２演奏者が前記弦楽器を演奏時に前記第２演奏者の上体が最大に傾く第２角度を含むことを特徴とする請求項８記載の弦楽器の縮小モデル。
【請求項１１】
前記第１動的範囲の値は前記第２動的範囲の値より大きく、前記比率は１未満であることを特徴とする請求項８記載の弦楽器の縮小モデル。
【請求項１２】
前記標準規格を基準として前記縮小比率に比例して前記縮小規格をモデリングすることを特徴とする請求項１１記載の 弦楽器の縮小モデル。
【発明の詳細な説明】
【技術分野】
【０００１】
本発明は、韓国の伝統楽器‘散調伽耶琴(サンジョカヤグム)’のように複数の弦を有する弦楽器を演奏者の年齢別身体サイズに応じた比率で縮小したモデル、および該弦楽器を身体サイズに応じて演奏に適した構造に縮小する方法に関する。
【背景技術】
【０００２】
近来、通信手段およびインターネットの発達によって全世界の文化を速く共有することができ、各国間の理解度が高くなり文化的差が減少して人類という１つの共同体的世界観が形成されている。これにより、各民族固有の文化的差が次第になくなり、これまでのどの時代よりも文化的、社会的な多様性が加速化している。このような状況下で各国では自国の利益を極大化するために、世界と呼吸しながら、固有の伝統文化を継承し発展させて新たな文化を創造していくことが必要である。
【０００３】
最近、韓国では固有の伝統文化の一つである韓国国楽で使用される楽器に対する関心が高まり、児童による韓国楽器の演奏頻度も高くなっている。
しかしながら、今の韓国楽器は大人演奏者の身体サイズに合わせており、児童による散調伽耶琴の演奏時にお尻が浮き、散調大琴(サンジョテグム)の演奏時には指孔を塞ぐことができない状況である。このように大人に比べて体の小さい児童の演奏に制約があるので、児童が演奏しやすい韓国楽器のサイズを定める必要があった。
【発明の概要】
【発明が解決しようとする課題】
【０００４】
本発明は、上記事情に鑑みなされたものであり、特に演奏者の様々な身体サイズを考慮して韓国楽器の縮小規格をモデリングした弦楽器の縮小モデル、およびこのモデリングに適した弦楽器の縮小方法を提供することに目的がある。
また本発明は、散調伽耶琴のように複数の弦を有する弦楽器の規格を児童に適するように縮小規格を一般化させた弦楽器の縮小モデル、およびその弦楽器の縮小方法を提供することに他の目的がある。
【課題を解決するための手段】
【０００５】
上記目的を達成するために、本発明による弦楽器の縮小方法は、弦楽器を演奏する多数の演奏者の特定身体部位別サイズを測定する段階と、測定した身体部位別サイズに基づいて弦楽器の標準規格に適した第１年齢層群と弦楽器の縮小規格が適用される第２年齢層群とを分ける段階と、測定した身体部位別サイズを用いて第１年齢層群の平均身体サイズおよび第２年齢層群の平均身体サイズを算出する段階と、第１年齢層群の平均身体サイズの第１演奏者が弦楽器を演奏時に第１演奏者の上体が最大に動く第１動的範囲および第２年齢層群の平均身体サイズの第２演奏者が弦楽器を演奏時に第２演奏者の上体が最大に動く第２動的範囲を算出する段階と、第１動的範囲と第２動的範囲の比率を算出する段階と、算出された比率に基づいて標準規格対縮小規格を算出する段階と、算出されたた縮小規格を有する弦楽器の縮小モデルを作製する段階とからなる。
【０００６】
好ましくは、特定身体部位別サイズを測定する段階では、多数の演奏者の着座状態での肩の高さ、手の直線長さ、および手を除いた腕の長さの各々を測定する。
好ましくは、第１動的範囲および第２動的範囲を算出する段階は、第１演奏者が弦楽器を演奏時に第１演奏者の上体が最大に傾く第１角度を算出する段階と、第２演奏者が弦楽器を演奏時に第２演奏者の上体が最大に傾く第２角度を算出する段階とからなり、第１動的範囲は第１角度を含み、第２動的範囲は第２角度を含む。
【０００７】
好ましくは、第１動的範囲と第２動的範囲の比率を算出する段階において、第１動的範囲の値が第２動的範囲の値よりも大きく、これらの比率は１未満である。
より好ましくは、標準規格対縮小規格を算出する段階では、標準規格を基準として前記比率に比例して縮小規格を算出する。
好ましくは、弦楽器の縮小モデルを作製する段階は、標準規格による弦楽器の横サイズ、縦サイズおよび高さのうちのいずれか１つを前記比率に比例して縮小することにより縮小モデルを作製する。
【０００８】
上記目的を達成するために、本発明による弦楽器の縮小モデルは、ベースを構成する横部と、ベースを構成する縦部と、ベースを構成する高さ部と、ベースの一側に設けられて弦を固定する固定部と、ベースの他側に設けられて弦の張力を調節する調弦部とを含み、弦楽器の標準規格による横部の長さ、縦部の長さ、高さ部の長さおよび固定部から調弦部までの長さのうちのいずれか１つを演奏者の身体サイズに基づいて定められた縮小比率で縮小して標準規格対縮小規格をモデリングしたことを特徴とする。
【０００９】
好ましくは、縮小比率は、弦楽器を演奏する多数の演奏者の特定身体部位別サイズを測定し、測定した身体部位別サイズに基づいて弦楽器の標準規格に適した第１年齢層群と弦楽器の縮小規格が適用される第２年齢層群とを分け、測定した身体部位別サイズを用いて第１年齢層群の平均身体サイズおよび第２年齢層群の平均身体サイズを算出し、第１年齢層群の平均身体サイズの第１演奏者が弦楽器を演奏時に第１演奏者の上体が最大に動く第１動的範囲および第２年齢層群の平均身体サイズの第２演奏者が弦楽器を演奏時に第２演奏者の上体が最大に動く第２動的範囲を算出して、第１動的範囲と第２動的範囲との比率を縮小比率として定める。
【００１０】
より好ましくは、特定身体部位別サイズは、多数の演奏者の着座状態での肩の高さ、手の直線長さ、および手を除いた腕の長さを含む。
より好ましくは、第１動的範囲は第１演奏者が弦楽器を演奏時に第１演奏者の上体が最大に傾く第１角度を含み、第２動的範囲は第２演奏者が弦楽器を演奏時に第２演奏者の上体が最大に傾く第２角度を含む。
より好ましくは、第１動的範囲の値は第２動的範囲の値より大きく、これらの比率は１未満である。ここで、標準規格を基準として縮小比率に比例して縮小規格をモデリングする。
【発明の効果】
【００１１】
本発明によれば、使用者の様々な身体サイズを考慮した韓国楽器の縮小規格をモデリングすることができ、この縮小モデルを完成することにより、体の小さい演奏者がより楽に演奏をすることができる。特に、散調伽耶琴や玄琴(コムンゴ)などのような弦楽器の縮小モデルの作製が容易になる。
【００１２】
また、散調伽耶琴のように複数の弦を有する弦楽器の規格を児童に適するように縮小規格を一般化して、それに基づく縮小モデルを提供することができるので、韓国楽器の演奏時に該楽器のサイズによる不便さを解消できる。特に、身体サイズが相対的に小さい児童の韓国楽器に対する反感を解消することができる。
さらに、本発明は弦楽器だけではなく、打楽器や管楽器の縮小モデルの作製時にも容易に適用可能である。
【図面の簡単な説明】
【００１３】
【図１】既存の一般的な散調伽耶琴の規格を示す正面図である。
【図２】既存の一般的な散調伽耶琴の規格を示す側面図である。
【図３】既存の一般的な散調伽耶琴の規格を示す背面図である。
【図４】本発明の一実施形態による散調伽耶琴の縮小モデルの選定時に適用される身体サイズの測定例を示す図である。
【図５】本発明の一実施形態による散調伽耶琴の縮小モデルの選定時に適用される身体サイズの測定例を示す図である。
【図６】本発明の一実施形態による散調伽耶琴の縮小モデルの選定時に適用される身体サイズの測定例を示す図である。
【図７】本発明の一実施形態による大人演奏者の最大動的範囲(θ１)と児童演奏者の最大動的範囲(θ２)との差を示す図である。
【図８】本発明の一実施形態による大人演奏者の最大動的範囲(θ１)と児童演奏者の最大動的範囲(θ２)との差を示す図である。
【図９】本発明による弦楽器の縮小方法の原理を説明する図である。
【図１０】本発明によりモデリングされた散調伽耶琴の縮小モデルと既存の散調伽耶琴の標準規格による標準モデルとを比較する図である。
【発明を実施するための形態】
【００１４】
本発明の他の目的、特徴および利点は添付図面を参照した以下の好ましい実施例の記載から明らかになる。
以下、添付図面を参照して本発明による実施形態の構成および作用を説明し、図示およ説明する本発明の構成および作用は１つの実施形態として説明されるものであり、これによって上記本発明の技術的思想とその核心構成および作用が制限されるものではない。
【００１５】
以下、添付図面を参照して本発明による弦楽器の縮小方法の好ましい実施形態を詳しく説明する。
本発明は散調伽耶琴を一例としているが、それに限られず、演奏時に演奏者の姿勢変更による動的範囲に年齢別に格段の差がある様々な弦楽器に適用することができる。
図１は既存の一般的な散調伽耶琴の規格を示す正面図、図２は既存の一般的な散調伽耶琴の規格を示す側面図、そして図３は既存の一般的な散調伽耶琴の規格を示す背面図である。
【００１６】
図１乃至図３に示した散調伽耶琴は標準規格による標準モデルであり、本発明では図１乃至図３に示した標準モデルの規格に基づいて縮小規格をモデリングする。
本発明の一実施形態では、標準規格の横サイズ、縦サイズおよび高さのうちのいずれか１つを一定の比率で縮小して最終の縮小モデルを選定し作製する。
図１乃至図３に示した散調伽耶琴の標準規格は、横１４６５ｍｍ、縦１９０ｍｍ、高さ６５ｍｍである。
【００１７】
図４乃至図６は、本発明の一実施形態による散調伽耶琴の縮小モデルの選定時に適用される身体サイズの測定例を示している。
図４乃至図６に示すように、散調伽耶琴を演奏する多数の演奏者の特定身体部位別サイズを測定する。
一例として、散調伽耶琴の縮小モデルを選定するためには、多数の演奏者の着座状態での肩の高さ、手の直線長さ、および手を除いた腕の長さの各々を測定する必要がある。
【００１８】
多数の演奏者は５才から３０才までを対象とする。
図４は各演奏者の着座状態での肩の高さを測定する過程を、図５は手の直線長さを測定する過程を、そして図６は手を除いた腕の長さを測定する過程を示している。
演奏者の身体のうちの測定対象部位は弦楽器の種類によって変更でき、図４乃至図６では散調伽耶琴の散調(演奏)時に動く部位を選定して測定している。
【００１９】
図４に示すように、着座状態での肩の高さは、演奏者が座った面から肩点までの垂直距離を測定したものであり、着座状態とは、人体測定学的に座った姿勢をいう。測定方法は、測定者が被測定者(演奏者)の後方に立ち、垂直定規を被測定者の右側の測定台に載置した後、片手で垂直定規を握り、他の手で垂直定規の横定規の先端を軽く握って肩点に当てる。この状態で座った面から肩点までの垂直距離を測定する。
【００２０】
図５に示すように、手の直線長さは、演奏者が座った状態で手首の親指側の骨水準の折れ線から手の先端までの直線長さを測定したものである。測定方法は、手の指を伸ばしてテーブルの上に置いた後、手首の線から手の先端までの直線長さを測定する。
図６に示すように、腕の長さは、肩先端から橈骨点を経て手首の小指側の骨までの長さを測定したものであり、人体測定学的に立った姿勢で測定する。測定方法は、測定者が被測定者の右側に立ち、巻尺で肩先端から橈骨点までを測定後、さらに手首の小指側の骨までの長さを測定する。
【００２１】
その後、上記のように測定した身体部位別サイズに基づいて散調伽耶琴の標準規格に適合する第１年齢層群と、散調伽耶琴の縮小規格が適用される第２年齢層群を分類する。すなわち、縮小規格の散調伽耶琴を使用する対象を選定する。
本発明では上述したように５才から３０才までを対象としており、表１乃至表３に示すように年齢層別に異なる身体部位を測定したサイズに基づいて設けられた百分位数を使用する。
【００２２】
【表１】
2014174546.tif 000003
【００２３】
【表２】
2014174546.tif 000004
【００２４】
【表３】
2014174546.tif 000005
【００２５】
各年齢層の身体サイズ、すなわちボディーと腕の長さとの類似度を算出する。次の表４は、５才から３０才までを対象として身体サイズの類似度を示したものであり、各年齢別の身体サイズの重複率を表す。
【００２６】
【表４】
2014174546.tif 000006
【００２７】
表４に示すように、１１才は２０〜３０才と４７％、１２才は２０〜３０才と７０％の身体サイズの重複率を有して２０〜３０才との身体サイズの類似度が高いことが分かる。しかし、５〜１０才の場合、２０〜３０才との身体サイズの類似度が相対的に非常に低い。したがって、表４に基づき、１１才〜３０才の演奏者は第１年齢層群に、５才〜１０才の演奏者は第２年齢層群に属すると分類することができる。
【００２８】
このように異なる規格の散調伽耶琴を使用する年齢層群を分類後、測定した身体部位別サイズを用いて第１年齢層群の平均身体サイズおよび第２年齢層群の平均身体サイズを算出する。
算出した各群の平均身体サイズに基づいて、第１年齢層群の平均身体サイズを有する第１演奏者と第２年齢層群の平均身体サイズを有する第２演奏者を選定する。第１演奏者は大人演奏者、第２演奏者は児童演奏者である。
【００２９】
次に、本発明では、第１演奏者が散調伽耶琴を演奏時、第１演奏者の体が最大に動く第１動的範囲、および第２演奏者が散調伽耶琴を演奏時、第２演奏者の体が最大に動く第２動的範囲を算出する。
一例として、第１演奏者の体のうち上体が最大に動く第１動的範囲および第２演奏者の体のうち上体が最大に動く第２動的範囲を算出する。
【００３０】
他の一例としては、第１動的範囲および第２動的範囲を算出する過程では、まず、第１演奏者が散調伽耶琴を演奏時に第１演奏者の上体が最大に傾く第１角度(θ１)を算出し、第２演奏者が散調伽耶琴を演奏時に第２演奏者の上体が最大に傾く第２角度(θ２)を算出する。この際、標準規格の散調伽耶琴を使用し、第１動的範囲は算出された第１角度を、第２動的範囲は算出された第２角度を含む。
【００３１】
図７および図８は、本発明の一実施形態による大人演奏者の最大動的範囲と児童演奏者の最大動的範囲との差を示す図であり、これらの動的範囲は、異なる群に属した演奏者の上体が最大に傾いた角度(θ１、θ２)、或いは異なる群に属した演奏者の上体が最大に傾いたときに至る距離(ｄ１、ｄ２)であることができる。
図７および図８に示すように、本発明では第１動的範囲と第２動的範囲の比率を算出する。一例として、第１演奏者の上体が最大に傾く第１角度(θ１)と第２演奏者の上体が最大に傾く第２角度(θ２)との比率を算出する。他の一例としては、第１演奏者の上体が最大に傾いたときに至る第１距離(ｄ１)と第２演奏者の上体が最大に傾いたときに至る第２距離(ｄ２)との比率を算出する。
【００３２】
第１演奏者と第２演奏者の身体サイズの差により、第１動的範囲の値は第２動的範囲の値より大きく、これによって第１動的範囲と第２動的範囲の比率は１未満であることが好ましい。
動的範囲としては、散調伽耶琴の演奏時、演奏者の腰が曲がった程度であることができる。
【００３３】
第１演奏者に比べて体の小さい第２演奏者が標準規格の散調伽耶琴を演奏する場合、演奏姿勢の動的範囲が相対的に大きいので、その動的範囲に比例して加えられるモーメントが大きく作用する。このためにも、身体サイズに適した縮小モデルを選定する必要がある。
図９は本発明による弦楽器の縮小方法の原理を説明する図である。
【００３４】
図９に示すように、本発明では算出された第１動的範囲と第２動的範囲の比率に基づいて散調伽耶琴の標準規格対縮小規格を算出する。すなわち、散調伽耶琴の標準規格に基づいて第１動的範囲と第２動的範囲の比率に比例して縮小規格を算出する。
縮小規格の算出には相似比算出方式を用いるが、これは、図９に示すように、２つの三角形の３組の対応辺の長さの比が相似したことにより、第１動的範囲と第２動的範囲の比率をかかる相似比に相応して適用して比例した縮小規格を算出する。
【００３５】
この縮小規格は、散調伽耶琴の標準規格に該当する横サイズ、縦サイズおよび高さのうちのいずれか１つを第１動的範囲と第２動的範囲の比率に比例して縮小したものである。
最後に、算出された縮小規格に該当する散調伽耶琴の縮小モデルを選定して作製する。
図１０は本発明によってモデリングされた散調伽耶琴の縮小モデルと既存の散調伽耶琴の標準規格による標準モデルとを比較した図であり、散調伽耶琴の縮小モデルの作製は、標準規格による散調伽耶琴の横サイズ、縦サイズおよび高さのうちのいずれか１つを算出された第１動的範囲と第２動的範囲の比率に比例して縮小して行う。
本発明では、上述した様々な情報に基づいて算出された第１動的範囲と第２動的範囲の比率が０．７６であり、標準規格対縮小規格は次の表５の通りである。
【００３６】
【表５】
2014174546.tif 000007
【００３７】
図１０に示すように、本発明による弦楽器の縮小モデルは、ベースを構成する横部と、ベースを構成する縦部と、ベースを構成する高さ部と、ベースの一側に設けられて弦を固定する固定部と、ベースの他側に設けられて弦の張力を調節する調弦部とを含む。
このような横部、縦部、高さ部、固定部および調弦部は、一般的な弦楽器に適用される一般的な構造モデルであり、横部は弦楽器のベースの定義時に相対的に長い方、縦部は相対的に短い方である。なお、上記構造は弦楽器の種類によって変更可能である。
【００３８】
本発明による縮小モデルは、弦楽器の標準規格による横部のサイズ、縦部のサイズ、高さ部のサイズおよび固定部から調弦部までのサイズのうちのいずれか１つを演奏者の身体サイズに基づいて定められた縮小比率で縮小して、標準規格対縮小規格をモデリングしたことが望ましい。
以上、本発明を好ましい実施形態を用いて説明したが、本発明の技術的範囲は上記実施形態に記載の範囲には限定されない。本発明が属する技術分野で通常の知識を有した者であれば、本発明が本発明の本質的な特性から逸脱しない範囲で変形した形態に実現できることを理解するはずである。
【００３９】
したがって、開示された実施形態は限定的な観点ではなく、説明的な観点で考慮しなければならない。本発明の範囲は、前述した説明ではなく、特許請求の範囲に示されており、これと同等な範囲内にある全ての差異点は本発明に含まれると解釈しなければならない。
【図１】
2014174546.tif 000008
【図２】
2014174546.tif 000009
【図３】
2014174546.tif 000010
【図４】
2014174546.tif 000011
【図５】
2014174546.tif 000012
【図６】
2014174546.tif 000013
【図７】
2014174546.tif 000014
【図８】
2014174546.tif 000015
【図９】
2014174546.tif 000016
【図１０】
2014174546.tif 000017